(57)【要約】【課題】ＤＰＰ信号検出用としての回折格子から得た先行スポット光、主スポット光、後行スポット光の３ビームスポット光を光検出器を用いて電気信号に変換する際の光検出器出力の配線数を先行スポット光と後行スポット光を兼用として重ね合わせることにより４本から２本に簡略化しても、精度のよい回折格子の調整を行うことが出来る調整方式を提供する。【解決手段】調整用光ディスクのグルーブ間隔を２倍とし、前記光ディスクから反射された先行スポット光と後行スポット光の光検出器の出力信号を合成して得たサブプッシュプル信号を同期検波信号とし、主スポット光から得られる主プッシュプル信号を同期信号として、同期検波を行うことにより得た検波信号出力を用いることにより、精度の良い回折格子の調整を行うことが出来る。【選択図】    図１
2005216336.tif 000002
【特許請求の範囲】
【請求項１】
信号トラックの間隔を光ディスクのトラック間隔の２倍に設定した調整用光ディスクの前記トラック上をトレースする主スポット光、先行スポット光、及び後行スポット光からなる３つのビーム光を得るための回折格子の角度を、調整する光ピックアップ調整方式において、
前記主スポット光に応じた光検出器で検出した受光に基づく主プッシュプル信号を同期信号で、前記先行及び後行スポット光に応じた光検出器で検出した受光に基づくそれぞれのプッシュプル信号を合成したサブプッシュプル信号を検波して検波信号を出力する同期検波手段と、
前記同期検波手段により出力された前記検波信号のレベルを表示する表示手段と、
前記表示手段により表示された前記検波信号のレベルが略ゼロになるよう前記回折格子の角度を調整する調整手段と、
を有することにより、前記光ピックアップに用いる回折格子の角度を、調整することを特徴とする光ピックアップ調整方式。
【発明の詳細な説明】
【技術分野】
【０００１】
本発明は、記録型ＣＤ、ＤＶＤ用光ピックアップにおいてＤＰＰ方式を使用している分野でのグレーティングの調整方式、検査方法に関する。
【背景技術】
【０００２】
ＤＰＰ（Ｄｉｆｆｅｒｅｎｔｉａｌ  Ｐｕｓｈ  Ｐｕｌｌ）方式は、記録型ＣＤ、ＤＶＤ用光ピックアップに用いる光学式ヘッドのトラッキング誤差検出方式であり、図８にＤＰＰ方式の概要図を示す。
【０００３】
図９（Ａ）は記録型ＣＤ、ＤＶＤに用いられるディスク１、対物レンズ２、コリメータレンズ３、ハーフミラ４、半導体レーザ５、グレーティング６、受光器ＰＤ（Ｐｈｏｔｏ  Ｄｅｔｅｃｔｏｒ）７で構成される。
【０００４】
図９（Ａ）において、まず、半導体レーザ５から出射されたレーザ光をグレーティング（グレーティング（回折格子）：あるピッチ間隔で平行な溝が刻まれた光学素子でレーザの波長とピッチ間隔で決まる方向に±１次、±２次の様に高次の平行光を発生する）６により先行、後行の２つのサブスポット光と１つの主スポット光による３つのスポット光を生成し、ハーフミラ４で光路変更した後、コリメータレンズ３、対物レンズ２によりディスク１に照射する。
【０００５】
図９（Ｂ）にディスク１を示す。この図に示すようにサブスポット光(先行、後行)を光ディスク面のランドに、主スポット光をグルーブにそれぞれ照射して反射光を生成し、この反射光を対物レンズ２、コリメータレンズ３によりハーフミラ４を透過し受光器ＰＤ７に照射する。
【０００６】
そして、反射光を照射された受光器ＰＤ７は、図９（Ｃ）に示すように、受光器ＰＤ７を構成する２分割した３組の受光器（Ｓａ１，Ｓａ２），（Ｍ１，Ｍ２），（Ｓｂ１，Ｓｂ２）で反射光を受光する。さらに、反射光の中の先行スポット光を受光したＳａ１，Ｓａ２は、受光量に応じた電気信号Ｖ０，Ｖ１を出力し、以下同様に主スポット光を受光したＭ１，Ｍ２はＶ２，Ｖ３を、後行スポット光を受光したＳｂ１，Ｓｂ２はＶ４，Ｖ５を、それぞれの受光器から出力する。
【０００７】
次に、プッシュプル回路（ＰＰ回路）ＤＡ０に電気信号Ｖ０，Ｖ１を加えプッシュプル信号（ＰＰ信号）Ｖ６を得る。同様にしてＰＰ回路ＤＡ１，ＤＡ２からそれぞれＰＰ信号Ｖ７，Ｖ８を得る。
【０００８】
そして、先行及び後行スポット光によるＰＰ信号のＶ６とＶ８を加算回路ＡＤ３にて加算したサブＰＰ信号（Ｓｐｐ信号）のＶ９を得た後、このＶ９を増幅回路Ａｍ４で補正して得たＶ１０と主ＰＰ信号（Ｍｐｐ信号）のＶ７をプッシュプル回路ＤＡ５に加えて出力信号Ｖ１１を得る。これがトラッキング誤差検出信号Ｄｐｐとなる。
【０００９】
ここで、Ｓｐｐ信号とＭｐｐ信号とは図１１（Ａ）の（１）のグラフに示すようにトラックを横断する方向に関しては１８０度位相が異なるから、トラック誤差信号成分はＳｐｐ信号とＭｐｐ信号では逆極性となる。同図において横方向の単位は各信号の位相を３６０度〜−３６０度の範囲で表し、縦方向は各信号レベルを１〜−１の範囲で示したものである。以下同様のグラフ表示とする。
【００１０】
一方、迷光やレンズシフト、ディスクチルトによるＳｐｐ信号とＭｐｐ信号の変動は同相となる。そこで、Ｓｐｐ信号をスポット光の強度比に相当したゲインＫを増幅回路Ａｍ４で掛けて得たＶ１０とＭｐｐ信号のＶ７とをＰＰ回路ＤＡ５で差動演算すると、逆相信号は２倍となり、同相信号は相殺されて、迷光やチルト、レンズシフトで変動しないＰＰ信号（Ｄｐｐ信号）を得ることが出来る。
【００１１】
以上説明してきたように、ＤＰＰ方式は、同相信号は相殺されて、迷光やチルト、レンズシフトで変動しないＰＰ信号（Ｄｐｐ信号）を得ることが出来るが、光検出器ＰＤ７の配線数が多くなるため、先行と後行のスポット光を受光する４つに分割されたＰＤの４本の配線を１つのサブスポット光として２本の配線にまとめて使えるよう図９の（Ｄ）の配線が検討されている。
【００１２】
しかし、ＤＰＰ方式でサブスポット光用のＰＤを実質的に２本に配線すると、グレーティングの角度変化に対してＣＯＳ的なレベル変化信号しか得られず最適角度中心が分かりにくく、調整の容易さや精度に問題があった。以下この問題について説明する。
【００１３】
サブスポット光の先行、後行の２つのスポット光と、主スポット光のディスク面位置とそれぞれのＰＰ信号の位相関係を図１１（Ａ）〜（Ｃ）で説明する。まず、主スポット光と先行スポット光間の垂直間隔をＩ、グルーブ中心と先行スポット光間の水平間隔をｄ、ディスク１のトラックピッチをＰとする。
【００１４】
ＤＰＰ方式では図１０(Ａ)に示すように、ｄ＝Ｐ／２の時、２つのサブスポット光が各ランドの中心となり最良の位置を得る（図１１（Ａ））。この各ランドの中心位置からのずれをΔとする。そうすると、グルーブ中心と先行スポット間はｄ＝Ｐ／２＋Δとなる(図１０（Ｂ）)。
【００１５】
グルーブに照射された３つのスポット光の中心を通過する直線のトラック方向に対する角度をθとすると
ｔａｎθ＝ｄ／Ｉ
となる。
【００１６】
各ランドの中心位置からのずれΔをＰＰ信号の角度Δθで表し、Δ＝−Ｐ／２とおくとグルーブ中心を示すから、
θ＝−１８０°
となる。従ってΔ＝−Ｐ／２の時、
θ＝Δ／（Ｐ／２）＊１８０°
で表すことが出来る。
【００１７】
次にスポット光の位置をｘとすると，
主ｐｐ＝ＳＩＮ（２π／Ｐ＊ｘ）、
先行ｐｐ＝ＳＩＮ（２π／Ｐ＊（ｘ＋ｄ））
後行ｐｐ＝ＳＩＮ（２π／Ｐ＊（ｘ−ｄ））
となるから、
Ｓｐｐ＝先行ｐｐ＋後行ｐｐ
＝２＊ＣＯＳ（２π／Ｐ＊ｄ）＊ＳＩＮ（２π／Ｐ＊ｘ）
に変換できる。
【００１８】
次に各ＰＰ信号のトラッキング誤差検出時の信号レベルを算出する。この各ＰＰ信号のトラッキング誤差検出時の信号レベルを、スポット光位置が最適な場合と−２０°，＋２０°及び−４５°、４５°の場合とを算出し、これを図１１のグラフに示す。
【００１９】
図１１において、（Ａ）は位相差０、（Ｂ）は位相差が正方向、（Ｃ）は位相差が負方向で（１），（２）は位相差２０°、（３），（４）は位相差４５°である。そして（１），（３）はＭｐｐとＳｐｐ、（２），（４）は先行ｐｐと後行ｐｐの信号のグラフを示す。
【００２０】
この図１１に示すグラフにより、先行、後行のサブスポット光のＰＰ信号間、合成されたサブスポット光のＰＰ信号間と主スポット光のＰＰ信号間で位相差があることを示す。例えばそれぞれの各ＰＰ信号で調整がずれていると、ずれた方向での進み／遅れ位相差を生ずるから、この位相差を０となるよう調整すれば最適なスポット光位置を得られる。
【００２１】
ここで、再度、２つのサブスポット光を受光する４つに分割されたＰＤ７の４本の配線を１つのサブスポット光として２本の配線にまとめて使う図９の（Ｄ）の場合について説明する。この配線では、ＰＤ７の配線を先行、後行のサブスポット光を受光するＰＤ７におけるＳａ１とＳｂ１、Ｓａ２とＳｂ２をそれぞれ結合してＰＰ回路ＤＡ０に接続する。そしてＰＰ回路ＤＡ２とＡｍ４は削除しＡＤ３をＡｍ４に代行し増幅器として用いる。
【００２２】
従って、ＰＰ回路ＤＡ２が削除されていると、先行、後行のスポット光によるＰＰ信号は独立して形成できず、Ｓｐｐ信号しか得られない。このときは図１１の各Ｓｐｐ信号で示すように、グレーティング６の角度調整のずれでは信号に位相差は表れず、Ｍｐｐ信号と逆位相信号で、レベルに変化が出るのみである（（１）、（３）に示すＳｐｐ信号）。
【００２３】
このＳｐｐ信号のレベル変化は図７（Ａ）の通常ディスク例としてＶ９のグラフに示す様に、ＣＯＳ（ｄ＊２π／Ｐ）の特性で横軸ｄ＝Ｐ／２付近の変化であり、これは図７（Ｂ）のＳ１として示す通常最適値である−１付近のわずかなレベルの変化なので分かりにくい。
【００２４】
このように最適位置からのサブスポット光のＰＰ信号間と主スポット光のＰＰ信号間での位相差は、わずかなレベル低下のみでしかも方向が判別できないため調整が困難である。
【特許文献１】特開昭６１−９４２４６号公報
【発明の開示】
【発明が解決しようとする課題】
【００２５】
ＤＰＰ信号検出用として先行スポット光、主スポット光、後行スポット光の３ビームスポット光を用いる場合、ディスクトラックに対する各スポット光の最適位置があり、半導体レーザ光からグレーティングを用いて３ビームスポット光を生成する際にグレーティングを回転させて調整していたが、この従来の調整方式では各スポット光を電気信号に変換する際に電気信号への変換部分の配線数が多いために、小型化が困難であると言う問題点があった。
【００２６】
そこで本発明は、上述した問題点を解決して、各スポット光を電気信号に変換する際の配線数を減少させて小型化を行い、グレーティングの最適位置の調整を容易に行うことを目的とする。
【課題を解決するための手段】
【００２７】
上記目的を達成するための手段として、第１の発明の光ピックアップ調整方式は、信号トラックの間隔を光ディスクのトラック間隔の２倍に設定した調整用光ディスク（ディスク１）の前記トラック上をトレースする主スポット光、先行スポット光、及び後行スポット光からなる３つのビーム光を得るための回折格子（グレーティング６）の角度を、調整する光ピックアップ調整方式において、前記主スポット光に応じた光検出器で検出した受光に基づく主プッシュプル信号（Ｍｐｐ）を同期信号で、前記先行及び後行スポット光に応じた光検出器で検出した受光に基づくそれぞれのプッシュプル信号を合成したサブプッシュプル信号（Ｓｐｐ）を検波して検波信号（Ｓｏｕｔ）を出力する同期検波手段（同期検波回路１００）と、前記同期検波手段により出力された前記検波信号のレベルを表示する表示手段（表示装置２００）と、前記表示手段により表示された前記検波信号のレベルが略ゼロになるよう前記回折格子の角度を調整する調整手段（調整機構１０）と、を有することにより、前記光ピックアップに用いる回折格子の角度を、調整するものである。
【発明の効果】
【００２８】
ＤＰＰ信号検出用としての先行スポット光、主スポット光、後行スポット光の３ビームスポット光を電気信号に変換する際の配線数を４本から２本に簡略化し、しかも精度の良い調整を行うことが出来る。
【発明を実施するための最良の形態】
【００２９】
以下、本発明の実施の最良の形態につき、好ましい実施例により、図面を参照して説明する。
【実施例】
【００３０】
図１（Ａ）にグレーティングの調整、検査方法に用いるシステムの概要図を示す。図１（Ａ）は記録型ＣＤ、ＤＶＤに用いられるディスク１、対物レンズ２、コリメータレンズ３、ハーフミラ４、半導体レーザ５、グレーティング６、受光器ＰＤ７で構成される。
【００３１】
図１（Ａ）において、まず、半導体レーザ５から出射されたレーザ光をグレーティング６により先行、後行の２つのサブスポット光と１つの主スポット光による３つのスポット光を生成し、ハーフミラ４で光路変更した後、コリメータレンズ３、対物レンズ２によりディスク１に照射する。
【００３２】
図１（Ｂ）は調整時に用いるディスク１の記録面を示す。この図に示すように記録面上にグルーブ間隔及びランド間隔を標準の２倍に設置した前記光ディスク用い、サブスポット光（先行、後行）を光ディスク面のランドとグルーブの境界部に、主スポット光をグルーブの中央部にそれぞれ照射して反射光を生成し、この反射光を対物レンズ２、コリメータレンズ３によりハーフミラ４を透過し受光器ＰＤ７に照射する。
【００３３】
そして、反射光を照射された受光器ＰＤ７は、図１（Ｃ）に示すように、受光器ＰＤ７を構成する２分割した３組の受光器（Ｓａ１，Ｓａ２），（Ｍ１，Ｍ２），（Ｓｂ１，Ｓｂ２）で反射光を受光する。さらに、反射光の中の先行スポット光を受光したＳａ１，Ｓａ２は、受光量に応じた電気信号Ｖ０，Ｖ１を出力し、以下同様に主スポット光を受光したＭ１，Ｍ２はＶ２，Ｖ３を、後行スポット光を受光したＳｂ１，Ｓｂ２はＶ４，Ｖ５を、それぞれの受光器から出力する。
【００３４】
次に、プッシュプル回路（ＰＰ回路）ＤＡ０に電気信号Ｖ０とＶ４、Ｖ１とＶ５とを重ねて加えプッシュプル信号（ＰＰ信号）Ｖ６を得る。同様にしてＰＰ回路ＤＡ１からＰＰ信号Ｖ７を得る。
【００３５】
そして、先行及び後行スポット光によるＰＰ信号のＶ６を加算回路ＡＤ３にて乗数Ｋを掛けて増幅しサブＰＰ信号（Ｓｐｐ信号）のＶ９を得た後、主ＰＰ信号（Ｍｐｐ信号）のＶ７をプッシュプル回路ＤＡ５に加えて出力信号Ｖ１１を得る。これがトラッキング誤差検出信号Ｄｐｐとなる。
【００３６】
乗数Ｋは実験により得た信号比率Ｖ６：Ｖ７＝２：１７から８．５に設定する。この信号比率は周囲条件により変動するから、Ｋの乗数を可変出来るようにしておく。
【００３７】
次に、Ｓｐｐ信号が図２（Ａ）に示すように、グレーティング６が最適に調整された場合を、図３も併用して説明する。この状態においては、先行と後行スポット光がランドとグルーブの境界位置にあり、図３（Ａ）の（１）のグラフに示すように０レベルを示す。これは、先行と後行スポット光により得られる先行ｐｐ信号と後行ｐｐ信号の位相差が１８０°でちょうど逆相（図３（Ａ）の（２））となって、プッシュプル回路（ＰＰ回路）ＤＡ０に加えられるため信号レベルとしては０となる。
【００３８】
その次に、図２の（Ｂ）に示すようなグレーティング６が正方向に回転してずれた例について説明する。図３（Ｂ）（１）、（２）は２０°、（３），（４）は４５°回転した例である。（１）、（３）に示されるＳｐｐ信号レベルからグレーティング回転角度が大きくなるほど最大値が同じ位相で増加することが分かる。
【００３９】
そして、図２の（Ｃ）にグレーティング６が負方向に回転する例を示す。この例の信号レベルとしては、図３（１），（２）に−２０°、（３），（４）に−４５°回転したグラフを示す。グレーティング６が正方向に回転する例と同じように、（１），（３）に示されるＳｐｐ信号レベルからグレーティング回転角度が大きくなるほど最大値が増加することが分かるが、（Ｂ）と比較すると信号の極性は反転している。
【００４０】
従って、グレーティング６が最適位置にある場合のＳｐｐ信号は０であり、ずれる角度が大きくなるほどＳｐｐ信号レベルは大となり、そして、ずれる角度の正負により信号の極性が異なることが分かる。
【００４１】
ここで、図４に示す同期検波回路１００を用いてＳｐｐ信号の極性を、ずれる角度が正の場合は正の極性、ずれる角度が負の場合は負の極性とする検波回路を用いて、グレーティング６の最適位置の調整を容易に行う例について説明する。
【００４２】
この同期検波回路１００は、バッファＡＭＰ１０１、ゲート１０２、ＬＰＦ１０３、波形整形１０４、反転１０５、ゲート１０６、ＬＰＦ１０７、差動増幅器１０８から構成される。
【００４３】
この同期検波回路１００による同期検波の原理を図４の回路図と図５の波形図を用いて説明する。まず、Ｍｐｐ信号とＳｐｐ信号が同一位相の場合について述べる。最初に、Ｍｐｐ信号は波形整形１０４に加えられゲートパルスＧ０に整形される（図５（Ａ）の（２））。このゲートパルスＧ０は反転１０５により反転されてＧ１を得る。
【００４４】
一方、Ｍｐｐ信号と同相のＳｐｐ信号（図５（Ｂ）の（１））はバッファＡＭＰ１０１を経由しＳ０信号としてゲート１０２に加えられ、ゲートパルスＧ０がＨの時のみゲート１０１を通過しＳ１信号となる（図５（Ｂ）の（２））。そしてもう１つのゲート１０６にもＳ０は加えられゲートパルスＧ１がＨの時のみゲート１０６を通過しＳ２信号となる（図５（Ｂ）の（３））。
【００４５】
そして、Ｓ１とＳ２の信号はそれぞれＬＰＦ１０３，ＬＰＦ１０７を経由してＳ３，Ｓ４信号となりこれをそれぞれ差動増幅器１０８に加えて（Ｓ３−Ｓ４）の演算を行う。そうすると、ゲートパルスＧ１でゲートされたＳ４信号は減算により反転されて加算されるから検波出力信号Ｓｏｕｔは全て正の信号となる（図５（Ｂ）の（４））。
【００４６】
次にＭｐｐ信号と逆相のＳｐｐ信号（図５（Ｃ）の（１））の場合は、同相のＳｐｐ信号の場合とは全て逆になるから検波出力信号Ｓｏｕｔは全て負の信号となる（図５（Ｃ）の（４））。
【００４７】
従って、グレーティング６が最適位置に調整されている場合は、図６（Ａ）に示すようにＳｐｐが０レベルであるから検波出力信号Ｓｏｕｔも０である。そして、グレーティング６が図６（Ｂ）の（１），（３）に示すように正の角度にずれ、Ｍｐｐ信号と同相のＳｐｐ信号が現れると、この信号を同期検波回路で検波することにより正の信号として（２），（４）の検波出力信号Ｓｏｕｔを得る。
【００４８】
（２）は２０°、（４）は４５°ずれた場合の検波出力信号Ｓｏｕｔであり、グレーティング角度のずれが大きくなるほど正の方向にＳｏｕｔ信号のレベルも大きくなる。
【００４９】
次に図６（Ｃ）の場合は、グレーティングが図６（Ｃ）の（１），（３）に示すように負の角度にずれ、Ｍｐｐ信号と逆相のＳｐｐ信号が現れると、この信号を同期検波回路で検波することにより負の信号として（２），（４）の検波出力信号Ｓｏｕｔを得る。
【００５０】
（２）は−２０°、（４）は−４５°ずれた場合の検波出力信号Ｓｏｕｔであり、グレーティング角度のずれが大きくなるほど負の方向にＳｏｕｔ信号のレベルも大きくなる。
【００５１】
図７（Ａ）にＳｐｐ信号の振幅例を示す。Ｖ９‘は記録面上にグルーブ間隔及びランド間隔を標準の２倍に設置した前記光ディスク用いた場合で、検波出力信号Ｓｏｕｔに相当する。Ｖ９は通常のグルーブ及びランド間隔で設置された場合である。
【００５２】
すなわち、記録面上にグルーブ間隔及びランド間隔を標準の２倍に設置した前記光ディスク用いた場合は図７(Ｂ)のＰ０に示されるように、振幅レベルの０がスポット光最適値であり、グレーティング６のずれる角度に応じて極性も対応しながら振幅が大きくずれる事が分かる。
【００５３】
図８にグレーティング６の調整例を示す。まず、図８(D)に示すように、同期検波回路１００に同期検波信号としてＳｐｐ信号、同期信号としてＭｐｐ信号を入力する。そして得られた検波信号出力Ｓｏｕｔを表示装置２００に入力して検波信号出力Ｓｏｕｔの信号レベルを表示する。
【００５４】
次に、図８（Ｂ）に示す調整機構１０を用いてグレーティングの角度を調整する。この調整機構は光ディスクに内蔵されており、板バネ１０、グレーティングフォルダー１１、筐体１２、偏心ピンつきノブ１４から構成されている。
【００５５】
調整時には、まず、グレーティング６をグレーティングフォルダー１１に取り付けて固定する。このグレーティングフォルダー１１は筐体１３に板バネ１０で押し付けられて保持されている。
【００５６】
また、グレーティングフォルダー１１には溝が切られており、この溝に偏心ピンつきノブ１４の偏心ピンを挿入する。そして、偏心ピンつきノブ１４を、図８（Ａ）に示す方向に回転させるとグレーディング１１は正方向に回転し、図８（Ｃ）に示す方向に回転させるとグレーディング１１は負方向に回転する。
【００５７】
従って、図８（Ｄ）の表示装置２００に表示されるレベルが０になるように、偏心ピンつきノブ１４を回転させれば、グレーディング６の角度を最適に調整することが出来る。
【００５８】
以上により、記録面上にグルーブ間隔及びランド間隔を標準の２倍に設置した前記光ディスク用いて、グレーディング６の角度を最適に調整した後、最後に通常の記録面を持つ光ディスクを用いて表示装置２０１に最大値が表示されるのを確認しても良い。
【図面の簡単な説明】
【００５９】
【図１】本発明に係るＤＰＰ方式の基本構成を示す図である。
【図２】本発明に係るディスク面上のスポット光とディスクトラックを示す図である。
【図３】本発明に係る各スポット光から得られた信号波形を示す図である。
【図４】同期検波方式の概要を示す図である。
【図５】同期検波方式による信号波形図を示す図である。
【図６】本発明に係る同期検波波形を示す図である。
【図７】スポット光から得られる信号レベルの傾斜を示す図である。
【図８】本発明に係る調整方式の基本構成を示す図である。
【図９】従来のＤＰＰ方式の基本構成を示す図である。
【図１０】従来のディスク面上のスポット光とディスクトラックを示す図である。
【図１１】従来の各スポット光から得られた信号波形を示す図である。
【符号の説明】
【００６０】
１  ディスク              （調整用光ディスク）
２  対物レンズ
３  コリメータレンズ
４  ハーフミラ
５  半導体レーザ
６  グレーティング        （回折格子）
７  ＰＤ（光検出器）
１０  調整機構              （調整手段）
１１  板バネ
１２  グレーティングフォルダー
１３  筐体
１４  偏心ピンつきノブ
１００  同期検波回路          （同期検波手段）
１０１  バッファＡＭＰ
１０２  ゲート
１０３  ＬＰＦ
１０４  波形整形
１０５  反転
１０６  ゲート
１０７  ＬＰＦ
１０８  差動増幅器
２００、２０１  表示装置        （表示手段）
【図１】
2005216336.tif 000003
【図２】
2005216336.tif 000004
【図３】
2005216336.tif 000005
【図４】
2005216336.tif 000006
【図５】
2005216336.tif 000007
【図６】
2005216336.tif 000008
【図７】
2005216336.tif 000009
【図８】
2005216336.tif 000010
【図９】
2005216336.tif 000011
【図１０】
2005216336.tif 000012
【図１１】
2005216336.tif 000013